(57)【特許請求の範囲】
【請求項１】
イメージセンサと、前記イメージセンサに接続された駆動集積回路装置とを備えた原稿読取装置であって、
前記イメージセンサは、
基板と、
前記基板上に第１のピッチで一直線に形成された複数の光電変換素子と、
前記複数の光電変換素子に対応して前記基板上に形成され、前記基板の一辺に沿って前記第１のピッチよりも狭い第２のピッチで配置された複数のパッドと、
前記複数の光電変換素子に対応して前記基板上に形成され、前記複数の光電変換素子と前記複数のパッドとの間にそれぞれ接続された複数の引出配線とを含み、
前記駆動集積回路装置は、
出力端子と、
前記イメージセンサの複数のパッドにそれぞれ接続された複数の増幅器と、
前記イメージセンサの複数のパッドと所定電圧ノードとの間にそれぞれ接続された複数のリセットスイッチ素子と、
前記複数の増幅器の出力と前記出力端子との間にそれぞれ接続された複数の出力スイッチ素子と、
前記複数のリセットスイッチ素子を順次オンにしかつその各リセットスイッチ素子をその次のリセットスイッチ素子をオンにした後にオフにするとともに、前記複数のリセットスイッチ素子を順次オンにする前の所定期間前記複数の出力スイッチ素子を順次オンにする制御回路とを含み、
前記制御回路は、前記複数の光電変換素子のうち前記次のリセットスイッチ素子に対応する光電変換素子と前記次のリセットスイッチ素子との間に、前記次のリセットスイッチ素子をオンにしたことに応じた電流が流れる期間、前記各リセットスイッチ素子をオンにしたまま保つ、原稿読取装置。
【請求項２】
前記原稿読取装置は、波長の異なる複数種類の光を原稿に順次照射して各種類の光を受けているときの前記原稿からの反射光または透過光を検知するものである、請求項１に記載の原稿読取装置。
【請求項３】
イメージセンサと、前記イメージセンサに接続された駆動集積回路装置とを備えた原稿読取装置の動作方法であって、
前記イメージセンサは、
基板と、
前記基板上に第１のピッチで一直線に形成された複数の光電変換素子と、
前記複数の光電変換素子に対応して前記基板上に形成され、前記基板の一辺に沿って前記第１のピッチよりも狭い第２のピッチで配置された複数のパッドと、
前記複数の光電変換素子に対応して前記基板上に形成され、前記複数の光電変換素子と前記複数のパッドとの間にそれぞれ接続された複数の引出配線とを含み、
前記駆動集積回路装置は、
出力端子と、
前記イメージセンサの複数のパッドにそれぞれ接続された複数の増幅器と、
前記イメージセンサの複数のパッドと所定電圧ノードとの間にそれぞれ接続された複数のリセットスイッチ素子と、
前記複数の増幅器の出力と前記出力端子との間にそれぞれ接続された複数の出力スイッチ素子とを含み、
前記動作方法は、
前記複数の出力スイッチ素子のうちある出力スイッチ素子を所定期間オンにするステップと、
前記ある出力スイッチ素子がオフになった後に前記ある出力スイッチ素子に対応する第１のリセットスイッチ素子をオンにするステップと、
前記ある出力スイッチ素子がオフになった後に前記ある出力スイッチ素子に隣接するその次の出力スイッチ素子を所定期間オンにするステップと、
前記次の出力スイッチ素子がオフになった後に前記次の出力スイッチ素子に対応する第２のリセットスイッチ素子をオンにするステップと、
前記第２のリセットスイッチ素子がオンになった後、前記第１のリセットスイッチ素子をオフにするステップとを含み、
前記第１のリセットスイッチ素子をオフにするステップにおいて、前記複数の光電変換素子のうち前記次の出力スイッチ素子に対応する光電変換素子と前記第２のリセットスイッチ素子との間に、前記第２のリセットスイッチ素子をオンにしたことに応じた電流が流れる期間、前記第１のリセットスイッチ素子をオンにしたまま保つ、原稿読取装置の動作方法。
【請求項４】
前記原稿読取装置は、波長の異なる複数種類の光を原稿に順次照射して各種類の光を受けているときの前記原稿からの反射光または透過光を検知するものである、請求項３に記載の原稿読取装置の動作方法。
【発明の詳細な説明】
【０００１】
【発明の属する技術分野】
この発明は、原稿読取装置およびその動作方法に関し、さらに詳しくは、光電変換素子を用いて原稿上の画像を読取る原稿読取装置およびその動作方法に関する。
【０００２】
【従来の技術】
ファクシミリ、イメージスキャナ、デジタル複写機、電子黒板などには、一直線に配置された多数の光電変換素子を有するイメージセンサ（ラインセンサとも呼ばれる）が用いられている。イメージセンサは、原稿から光電変換素子に入射した光信号に応じて電気信号を生成し、これにより原稿上の画像を読取る。
【０００３】
たとえば特公平５−３１８６５号公報には、電荷蓄積方式のイメージセンサが開示されている。このイメージセンサは、複数の光電変換素子と、これら光電変換素子にそれぞれ接続された複数の増幅器と、これら増幅器の出力に接続された複数の出力スイッチ素子と、上記光電変換素子にそれぞれ接続された複数のリセットスイッチ素子と、上記出力スイッチ素子およびリセットスイッチ素子を制御するシフトレジスタとを備える。このシフトレジスタは、上記出力スイッチ素子を順次オンにすることにより信号を読出すとともに、上記出力スイッチ素子に続いて上記リセットスイッチ素子を順次オンにすることにより光電変換素子をリセットする。
【０００４】
一般に、上記光電変換素子はガラス基板上に一直線に形成され、一方、上記増幅器、出力スイッチ素子およびリセットスイッチ素子は駆動集積回路装置（ＩＣ）に内蔵される。上記光電変換素子はガラス基板上に形成された引出配線を介して上記駆動ＩＣにワイヤボンディングにより接続される。
【０００５】
【発明が解決しようとする課題】
上記イメージセンサでは、リセットスイッチ素子がオンになったとき比較的大きなリセット電流が瞬時に流れるため、隣接する光電変換素子に容量結合によりノイズが入るという問題があった。
【０００６】
上記引出配線の長さおよび間隔をすべて同じにすれば、このノイズを相殺することも可能であろうが、光電変換素子の配列ピッチよりも駆動ＩＣのリード端子（パッド）の配列ピッチの方が狭いため、これらを同じにすることは実際上不可能である。
【０００７】
この発明の目的は、光電変換素子のリセット時に隣接する光電変換素子に生じるノイズを低減するようにした原稿読取装置およびその動作方法を提供することである。
【０００８】
【課題を解決するための手段】
この発明の一つの局面に従うと、原稿読取装置は、複数の光電変換素子（好ましくはフォトダイオード）と、複数のリセットスイッチ素子と、複数の出力スイッチ素子と、制御回路とを備える。複数のリセットスイッチ素子は、複数の光電変換素子にそれぞれ接続される。複数の出力スイッチ素子は、複数の光電変換素子にそれぞれ接続される。制御回路は、複数のリセットスイッチ素子を順次オンにしかつその各リセットスイッチ素子をその次のリセットスイッチ素子をオンにした後にオフにするとともに、複数のリセットスイッチ素子を順次オンにする前の所定期間複数の出力スイッチ素子を順次オンにする。
【０００９】
好ましくは、上記原稿読取装置はさらに、複数の光電変換素子の出力と複数の出力スイッチ素子との間にそれぞれ接続された複数の増幅器を備える。
【００１０】
好ましくは、上記原稿読取装置は、波長の異なる複数種類の光を原稿に順次照射して各種類の光を受けているときの原稿からの反射光または透過光を検知するものである。
【００１１】
この発明のもう一つの局面に従うと、複数の光電変換素子と、複数の光電変換素子にそれぞれ接続された複数のリセットスイッチ素子と、複数の光電変換素子にそれぞれ接続された複数の出力スイッチ素子とを備えた原稿読取装置の動作方法は、複数の出力スイッチ素子のうちある出力スイッチ素子を所定期間オンにするステップと、ある出力スイッチ素子がオフになった後にある出力スイッチ素子に対応するリセットスイッチ素子をオンにするステップと、ある出力スイッチ素子がオフになった後にある出力スイッチ素子に隣接するその次の出力スイッチ素子を所定期間オンにするステップと、次の出力スイッチ素子がオフになった後に次の出力スイッチ素子に対応するリセットスイッチ素子をオンにするステップと、次の出力スイッチ素子に対応するリセットスイッチ素子がオンになった後にある出力スイッチ素子に対応するリセットスイッチ素子をオフにするステップとを含む。
【００１２】
上記原稿読取装置およびその動作方法においては、各リセットスイッチ素子がその次のリセットスイッチ素子がオンになった後にオフになるので、その次のリセットスイッチ素子がオンになって比較的大きなリセット電流が流れてもその隣接する光電変換素子のリセットスイッチ素子が依然としてオンになっているため、その隣接する光電変換素子にノイズが生じることはない。
【００１３】
特に、原稿読取装置が波長の異なる複数種類の光を原稿に順次照射して各種類の光を受けているときの原稿からの反射光を検知するものである場合は、ある種類の波長から他の種類の波長に切り替わった直後であってもノイズが生じることはない。
【００１４】
【発明の実施の形態】
以下、この発明の実施の形態を図面を参照して詳しく説明する。なお、図中同一または相当部分には同一符号を付してその説明は繰返さない。
【００１５】
図１は、この発明の実施の形態による原稿読取装置の全体構成を示す側面図である。
【００１６】
図１を参照して、この原稿読取装置は、アルミフレーム、樹脂フレームなどの支持基板１と、支持基板１上に設けられたイメージセンサ２と、支持基板１上にイメージセンサ２と隣接して設けられたプリント回路基板３と、プリント回路基板３上に設けられた駆動集積回路装置（ＩＣ）４と、イメージセンサ２、プリント回路基板３および駆動ＩＣ４を覆うように支持基板１上に設けられた金属または樹脂製の保護カバー５とを備える。
【００１７】
ここで、イメージセンサ２およびプリント回路基板３は接着シート６により支持基板１に貼着され、駆動ＩＣ４は導電ペースト７によりプリント回路基板３に装着される。駆動ＩＣ４は、ワイヤボンディングによりイメージセンサ２に接続される。
【００１８】
図２は、図１に示した原稿読取装置の上面図である。図３は、図２中のＡ−Ａ線矢視断面図である。
【００１９】
図２および図３を参照して、イメージセンサ２は、ガラス基板２１と、ガラス基板２１上に形成されたＩＴＯなどからなる帯状の透明電極２２と、透明電極２２上に形成されたクロムとアルミニウムの２層構造を有する下部取出電極２３と、透明電極２２上に一直線に形成された複数のフォトダイオード２４と、これらフォトダイオード２４およびガラス基板２１上に形成されたクロムとアルミニウムの２層構造を有する複数の上部取出電極２５と、フォトダイオード２４を覆うように形成された黒色エポキシ樹脂などからなる保護膜２６とを備える。
【００２０】
ガラス基板２１のサイズは、たとえば５ｍｍ×２００ｍｍ程度である。フォトダイオード２４の数は、たとえば２５６個であり、この場合は、各フォトダイオード２４のサイズは、たとえば７５０μｍ×７５０μｍである。また、フォトダイオード２４の数が６４０個の場合は、各フォトダイオード２４のサイズは、たとえば３００μｍ×１０００μｍである。
【００２１】
図４は、各フォトダイオード２４の構造を示す断面図である。図４を参照して、フォトダイオード２４は、ｐ型半導体層２４１と、ｉ型半導体層２４２と、ｎ型半導体層２４３とを含む。ｐ型半導体層２４１は、たとえばホウ素Ｂをドープした水素化アモルファスシリコンカーバイトａ−ＳｉＣ：Ｈからなり、その厚みは１０〜２０ｎｍである。ｉ型半導体層２４２は、たとえばノンドープの水素化アモルファスシリコンａ−Ｓｉ：Ｈからなり、その厚みは１〜２μｍである。ｎ型半導体層２４３は、たとえばリンＰをドープした水素化アモルファスシリコンａ−Ｓｉ：Ｈ、水素化アモルファスシリコンカーバイトａ−ＳｉＣ：Ｈ、またはμＣ−Ｓｉ：Ｈからなり、その厚みは１０〜２０ｎｍである。
【００２２】
上部取出電極２５は、再び図２を参照して、ｎ型半導体層２４３に接触しかつフォトダイオード２４よりも一回り小さい接触電極２５１と、ガラス基板２１上に形成された引出配線２５２と、ガラス基板２１上に形成されたパッド２５３とからなる。複数のフォトダイオード２４に対応して、複数のパッド２５３がガラス基板２１の１つの長辺に沿って配置される。フォトダイオード２４は、たとえば３００〜１０００μｍのピッチで配置され、パッド２５３はそれよりも狭いたとえば１１０μｍのピッチで配置される。また、複数のフォトダイオード２４に対応して、複数の引出配線２５２が設けられ、複数のフォトダイオード２４と複数のパッド２５３との間にそれぞれ接続される。したがって、引出配線２５２はパッド２５３からフォトダイオード２４に向かって放射状に広がっている。
【００２３】
駆動ＩＣ４もまた、複数のパッド２５３に対応してその１つの長辺に沿って配置された複数のパッド４１を含む。パッド４１はパッド２５３とほぼ同じピッチで配置され、ワイヤボンディングによりパッド２５３に接続される。
【００２４】
上述したように、引出配線２５２は放射状に広がっており、イメージセンサ両端のフォトダイオード２４用の引出配線２５２が最も長く、中央のフォトダイオード２４用の引出配線２５２が最も短い。したがって、駆動ＩＣ４から遠いフォトダイオード２４用の引出配線２５２ほど寄生容量が大きくなる。
【００２５】
図５は、図２に示したイメージセンサ２および駆動ＩＣ４の回路図である。
図５を参照して、イメージセンサ２は、複数（たとえば２５６個）のフォトダイオード２４を含み、それらのアノードは共通に接続される。これらアノードには負のバイアス電圧Ｖｂ（たとえば−５Ｖ）が与えられる。
【００２６】
駆動ＩＣ４は、各フォトダイオード２４の受光量に応じた電圧ＣＯＭをシリアルに出力するための出力端子４２と、フォトダイオード２４のカソードにそれぞれ接続された複数の差動増幅器４３と、フォトダイオード２４のカソードと接地電圧ノードとの間にそれぞれ接続された複数のリセットスイッチ素子４４と、複数の差動増幅器４３の出力と出力端子４２との間にそれぞれ接続された複数の出力スイッチ素子４５と、複数のリセットスイッチ素子４４を制御するためのリセット制御信号ＳＲ１〜ＳＲ２５６と複数の出力スイッチ素子４５を制御するための出力制御信号ＳＯ１〜ＳＯ２５６とを生成する制御回路４６とを含む。
【００２７】
ここで、複数のリセットスイッチ素子４４にはそれぞれ並列に寄生容量４７が形成される。各差動増幅器４３の非反転入力端子（＋）は対応するフォトダイオード２４のカソードに接続され、出力端子および反転入力端子（−）は相互に接続される。すなわち、各差動増幅器４３は利得が「１」のボルテージフォロアとして機能する。制御回路４６は、データ入力信号ＤＩＮをクロック信号ＣＬＫに応答してシフトし、クリア信号／ＣＬＲによりリセットされるシフトレジスタなどを含む。
【００２８】
駆動ＩＣ４はさらに、複数の出力スイッチ素子４５に対応して設けられた複数のＡＮＤゲート４８と、インバータ４９と、出力リセットスイッチ素子５０とを含む。ＡＮＤゲート４８は、イネーブル信号ＥＮＡがＨ（論理ハイ）レベルのとき制御回路４６からの出力制御信号ＳＯ１〜ＳＯ２５６を出力スイッチ素子４５にそれぞれ供給する。出力リセットスイッチ素子５０は、イネーブル信号ＥＮＡがＬ（論理ロー）レベルのときオンになり、所定のリセット電圧ＶＲ（たとえば０Ｖ）を出力端子４２に供給する。
【００２９】
ここで、まず図５上で最も左側の１つのフォトダイオード２４に着目し、上記原稿読取装置の一般的な読取動作について説明する。
【００３０】
出力スイッチ素子４５がオフになった後、リセットスイッチ素子４４は所定期間だけオンになる。これにより寄生容量４７は放電されるが、フォトダイオード２４には逆方向のバイアス電圧Ｖｂが印加されるため、フォトダイオード２４の接合容量が充電される。ここで接合容量をＣｊとすると、Ｃｊ・Ｖｂの電荷が接合容量に蓄積される。その後、再び出力スイッチ素子４５がオンになるまでの間、フォトダイオード２４の接合容量は光電流に応じて徐々に放電され、逆に寄生容量４７は徐々に充電される。その結果、フォトダイオード２４のカソード電圧は入射光量に応じた電圧だけ接地電圧よりも低くなる。このカソード電圧は差動増幅器４３の非反転入力端子（＋）に与えられ、差動増幅器４３により増幅される。
【００３１】
続いて、再び出力スイッチ素子４５がオンになると、差動増幅器４３の出力電圧は出力スイッチ素子４５を介して出力端子４２から出力される。その結果、入射光量に応じた出力電圧ＣＯＭが得られる。
【００３２】
次に、この原稿読取装置全体の動作について説明する。
図６は、図５に示したイメージセンサ２および駆動ＩＣ４を含む原稿読取装置の動作を示すタイミング図である。
【００３３】
図６を参照して、出力制御信号ＳＯ１が半クロック期間Ｔｃ／２（Ｔｃはクロック信号ＣＬＫの周期）だけＨレベルになると、対応する出力スイッチ素子４５がオンになり、これにより対応するフォトダイオード２４のカソード電圧が出力される。
【００３４】
続いて、リセット制御信号ＳＲ１がＨレベルになると、対応するリセットスイッチ素子４４がオンになり、これにより対応するフォトダイオード２４のカソード電圧が接地電圧にリセットされる。
【００３５】
同様に、出力制御信号ＳＯ２が半クロック期間Ｔｃ／２だけＨレベルになると対応するフォトダイオード２４のカソード電圧が出力され、続いてリセット制御信号ＳＲ２がＨレベルになると対応するフォトダイオード２４のカソード電圧が接地電圧にリセットされる。
【００３６】
上記のように、出力制御信号ＳＯ１〜ＳＯ２５６は半クロック期間Ｔｃだけ順次Ｈレベルになる。出力制御信号ＳＯ１〜ＳＯ２５６は同時にＨレベルになることはない。
【００３７】
リセット制御信号ＳＲ１〜ＳＲ２５６もまた順次Ｈレベルになる。ただし、各リセット制御信号ＳＲｉ（ｉ＝１〜２５６）は、対応する出力制御信号ＳＯｉがＬレベルになると同時またはなった直後にＨレベルになり、４クロック期間４ＴｃだけＨレベルを維持し、その後Ｌレベルになる。このように、連続する４つのリセット制御信号は同時にＨレベルになる。
【００３８】
ここで図６中に点線で示すように、各リセット制御信号ＳＲｉが半クロック期間Ｔｃ／２だけＨレベルになるとすると、次のような問題が生じる。
【００３９】
たとえばリセット制御信号ＳＲ２がＨレベルになると、対応するリセットスイッチ素子４４がオンになり、これにより対応するフォトダイオード２４の引出配線２５２に比較的大きなリセット電流が瞬時に流れる。この引出配線２５２は隣接する引出配線２５２と寄生容量により結合しているため、その隣接する引出配線２５２にそのリセット電流の微分成分に等しい誘導電流が流れる。このとき、リセット制御信号ＳＲ１は既にＬレベルになり、対応するリセットスイッチ素子４４は既にオフになっているため、対応するフォトダイオード２４の接合容量および寄生容量４７が上記誘導電流に応じて充放電されることになる。その結果、フォトダイオード２４のカソード電圧が正確に入射光量に応じた電圧にならず、その誘導電流の分だけ変化してしまう。
【００４０】
図７は、すべてのフォトダイオード２４に３サイクルにわたって十分な光が入射し、続いてすべてのフォトダイオード２４に３サイクルにわたって光がほとんど入射しない場合における駆動ＩＣ４からの出力電圧ＣＯＭを示すタイミング図である。ただし、出力電圧ＣＯＭの極性は逆に示されている。
【００４１】
上述したように引出配線２５２は放射状に広がっているため、各引出配線２５２に寄生する結合容量は中央に近いほど小さく、両側に近いほど大きくなる。そのため、リセット制御信号ＳＲ１〜ＳＲ２５６が半クロック期間Ｔｃ／２で立下がると、図７中に点線で示されるように両端に近いフォトダイオード２４から読出される出力電圧ほど大きく低下する（図７では出力電圧の極性が逆に示されているので厳密には高くなる）。十分な光がフォトダイオード２４に入射し、十分な信号成分が得られるときは、このようなノイズ成分はさほど問題とならない。しかしながら、十分な光がフォトダイオード２４に入射した直後に光がほとんど入射しないときは、このようなノイズ成分が出力電圧に顕著に現れる。
【００４２】
これに対し、この発明の実施の形態では、各リセット制御信号ＳＲｉが４クロック期間４Ｔｃの間Ｈレベルを維持しているため、たとえばリセット制御信号ＳＲ２、ＳＲ３およびＳＲ４の立上がり時でもリセット制御信号ＳＲ１はＨレベルになっている。したがって、リセット信号ＳＲ２〜ＳＲ４の立上がり時にリセット電流が瞬時に流れても、Ｈレベルのリセット制御信号ＳＲ１に応答してリセットスイッチ素子４４がオンになっているため、対応するフォトダイオード２４のカソード電圧は接地電圧のまま維持される。その結果、図７に示すように両側に近いフォトダイオード２４からの出力電圧ほど大きく低下するという現象は緩和され、リセット電流によるノイズがほとんどない正確な出力電圧ＣＯＭが得られる。
【００４３】
以上のように、この発明の実施の形態によれば、リセットスイッチ素子４４によるフォトダイオード２４のリセット期間を４クロック期間４Ｔｃに設定しているため、リセットノイズの少ない正確な出力電圧ＣＯＭを得ることができる。
上記実施の形態による原稿読取装置は、白色または単一波長の光を原稿に照射して原稿からの反射光または透過光を検知するものであるが、赤、青、緑の３種類の光を原稿に順次照射して各種類の光を受けているときの原稿からの反射光を検知するカラー原稿読取装置にもこの発明は適用することができる。上記のような白黒原稿読取装置の場合は、上述したリセットノイズは一定であるからリセットノイズを除去する補正回路を設けるのも有効な手段であるが、カラー原稿読取装置のように波長の異なる複数種類の光を原稿に順次照射して各種類の光を受けているときの原稿からの反射光を検知する場合は、各色ごとにリセットノイズが異なるからそのような手段は有効ではない。これに対し、この発明はリセットノイズの発生自体を抑えているため、カラー原稿読取装置のような場合であっても有効な手段となり得る。
【００４４】
また、図８に示すように１本のセンサで反射・透過を切り換えて使用する場合には残像ノイズが問題となるが、そのような場合にはこの発明が有効である。
【００４５】
また、上記実施の形態ではリセット期間を４クロック期間４Ｔｃに設定しているが、リセットノイズは隣接するフォトダイオード２４のリセット制御信号の立上がり時に最も大きく発生するから、リセット期間は１クロック期間Ｔｃよりも長く設定すればよい。換言すれば、従来は１つのフォトダイオード２４だけをリセットしていたのに対し、この発明は連続する少なくとも２つのフォトダイオード２４を同時にリセットしている。したがって、各リセットスイッチ素子をその次のリセットスイッチ素子をオンにした後にオフにするように制御回路を構成すればよい。また、各種電圧の値も一例であり、たとえばリセット電圧は接地電圧でなくてもよく、バイアス電圧Ｖｐは正の電圧であってもよい。
【００４６】
上述したフォトダイオード２４、差動増幅器４３、リセットスイッチ素子４４、出力スイッチ素子４５の数はあくまでも一例であって、少なくとも２つあればよい。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４８】
【発明の効果】
この発明によれば、各リセットスイッチ素子をその次のリセットスイッチ素子をオンにした後にオフにしているため、光電変換素子のリセット時に隣接する光電変換素子に生じるノイズを低減することができる。
【図面の簡単な説明】
【図１】この発明の実施の形態による原稿読取装置の全体構成を示す側面図である。
【図２】図１に示した原稿読取装置の上面図である。
【図３】図２中のＡ−Ａ線矢視断面図である。
【図４】図３に示したフォトダイオードの構造を示す断面図である。
【図５】図２に示したイメージセンサおよび駆動ＩＣの回路図である。
【図６】図５に示したイメージセンサおよび駆動ＩＣを含む原稿読取装置の動作を示すタイミング図である。
【図７】３サイクルにわたってすべてのフォトダイオードに十分な光が入射し、続いて３サイクルにわたってほとんど光が入射しない場合における図５に示した駆動ＩＣからの出力電圧を示すタイミング図である。
【図８】１本のセンサで反射・透過を切り換えて使用する場合を示す模式図である。
【符号の説明】
２  イメージセンサ
４  駆動ＩＣ
２１  ガラス基板
２４  フォトダイオード
２５２  引出配線
２５３  パッド
４２  出力端子
４３  差動増幅器
４４  リセットスイッチ素子
４５  出力スイッチ素子
４６  制御回路
【図１】
0004173253.tif 000002
【図２】
0004173253.tif 000003
【図３】
0004173253.tif 000004
【図４】
0004173253.tif 000005
【図５】
0004173253.tif 000006
【図６】
0004173253.tif 000007
【図７】
0004173253.tif 000008
【図８】
0004173253.tif 000009